(57)【要約】【課題】綴じ具に技術的思想としての創作性を高めつつデザイン的な要素を付加すること。【解決手段】一本の線材を所定の間隔をあけて順次同方向にＵ字形又はＶ字形に曲げることにより一体で且つ並列に配置された多数の係止片４が形成され、これら多数の係止片４を薄片１の一側部に直線上に整列して形成された多数の孔２にそれぞれ通し、これら係止片４をリング状に曲げて複数の薄片１を頁めくり可能に綴じる綴じ具３０を用いた束ね物５０であって、前記多数の薄片１を綴じるにあたり前記綴じ具３０は綴じ具３Ａ・３Ｂを備え、前記薄片１の孔２には、当該綴じ具３Ａ・３Ｂの係止片４が、１孔ずつずれた状態で交互に通されている。また綴じ具３Ａ・３Ｂは、それぞれ色が異なる。【選択図】図１
2008006726.tif 000002
【特許請求の範囲】
【請求項１】
一本の線材を所定の間隔をあけて順次同方向にＵ字形又はＶ字形に曲げることにより一体で且つ並列に配置された多数の係止片が形成され、
これら多数の係止片を紙やシートその他の薄片の一側部に直線上に整列して形成された多数の孔にそれぞれ通し、これらをリング状に曲げて複数の薄片を頁めくり可能に綴じる綴じ具を用いた束ね物であって、
前記多数の薄片を綴じるにあたり前記綴じ具を複数備え、
前記薄片の多数の孔には、当該複数の綴じ具の係止片が、所定孔ずつずれた状態で交互に通されているとともに、前記綴じ具はそれぞれ色が異なることを特徴とする綴じ具を用いた束ね物。
【請求項２】
綴じ具は複数一組からなる複合体であり、当該複数ある綴じ具は、各々大きさが異なり、大きな綴じ具内に小さいな綴じ具が順次収容されたものであることを特徴とする請求項１に記載の綴じ具を用いた束ね物。
【請求項３】
綴じ具は二つで一組であることを特徴とする請求項２に記載の綴じ具を用いた束ね物。
【請求項４】
一本の線材を所定の間隔をあけて順次同方向にＵ字形又はＶ字形に曲げることにより一体で且つ並列に配置された多数の係止片が形成され、
これら多数の係止片を紙やシートその他の薄片の一側部に直線上に整列して形成された多数の孔にそれぞれ通し、これらをリング状に曲げてリング部とし、このリング部により前記複数の薄片を頁めくり可能に綴じる複数一組の綴じ具であって、
当該複数ある綴じ具の各係止片は、前記薄片の多数の孔に所定孔ずつずれた状態で順番に通され、通される順番が後になる綴じ具ほど大きくされかつ、前記綴じ具はそれぞれの色が異なることを特徴とする綴じ具。
【請求項５】
前記綴じ具は二つ一組とされ、前記薄片の多数の孔には、当該各綴じ具の係止片が、１孔ずつずれた状態で交互に通されることを特徴とする請求項４に記載の綴じ具。
【請求項６】
請求項４又は５に記載の綴じ具を用いた前記複数の薄片を束ねる綴じ具の組付方法であって、
小さい綴じ具ほどその係止片を前記多数の孔に先に通し、すべての綴じ具の係止片を前記多数の孔に通した後で、すべての係止片をリング状に曲げることを特徴とする綴じ具の組付方法。
【発明の詳細な説明】
【技術分野】
【０００１】
本発明は綴じ具を用いた束ね物に関する。
【背景技術】
【０００２】
用紙（薄片）の一側部に直線上に整列して形成された多数の孔に通して多数の用紙を頁めくり可能に束ねる円筒状の束ね具が周知であり、この束ね具を用いて束ねられたカレンダーやスケッチブックが周知である。
【０００３】
カレンダーやスケッチブックなどの束ね物では、多数の用紙が相互の分離独立性を確保して更には使い勝手を高めるために、表紙と共にめくった頁が使用中の頁の後ろ側に整然と重なるよう反転可能に綴じられている。
【０００４】
多数の用紙をこのように順次うしろ側に反転して重ねられるようにするには、従来、図１０に示されるように、各用紙１（図１０では一枚のみ示す）の一側部に直線上に整列して穿孔された多数の孔２を利用して、図１１に示されるような綴じ具３で閉じる。
【０００５】
この綴じ具３は、図１０に示されるように、線材を平面的に見てジグザグ状でかつ用紙１の綴じ込み用の前記多数の孔２と同じ間隔をあけて、順次同方向にＵ字形に曲げて一体且つ並列に多数の係止片４を形成し、このような係止片４を図１１に示されるように円形状に曲げてリング状の係止片４として構成したものであり、ダブルリングと呼称される。係止片４を円形状に曲げる装置（曲げ装置）については、周知の曲げ装置が適用される（特許文献１参照）。
【０００６】
綴じ具３を用いて多数の用紙１を束ねる方式は、前述したスケッチブックに限られず、その利便性ゆえ通常のノート等の文具にも採用されている。なお、リング状の係止片４のことを、以降、リング部４という。また、リング部４とリング部４とを結ぶ部分を結合部といい符号６で示す。
【特許文献１】特開平８−２５８３０号公報
【発明の開示】
【発明が解決しようとする課題】
【０００７】
ところで、いかに機能的に優れていてもデザイン性を無視した商品は売れないというのはもはや常識であり、既述した綴じ具を利用した文具であっても同様である。綴じ具を利用した文具では、やはり綴じ具が客の目を引く傾向が高いと思われる。
【０００８】
そこで、本発明者は、綴じ具に技術的思想としての創作性を高めつつ、デザイン的な要素を加えることができないか研究した。
【０００９】
本発明は、上記実情に鑑みて為されたものであり、その解決しようとする課題は、綴じ具に技術的思想としての創作性を高めつつデザイン的な要素を付加することにある。
【課題を解決するための手段】
【００１０】
本発明は、一本の線材を所定の間隔をあけて順次同方向にＵ字形又はＶ字形に曲げることにより一体で且つ並列に配置された多数の係止片が形成され、これら多数の係止片を紙やシートその他の薄片の一側部に直線上に整列して形成された多数の孔にそれぞれ通し、これらをリング状に曲げて複数の薄片を頁めくり可能に綴じる綴じ具を用いた束ね物であって、前記多数の薄片を綴じるにあたり前記綴じ具を複数備え、前記薄片の多数の孔には
、当該複数の綴じ具の係止片が、所定孔ずつずれた状態で交互に通されているとともに、前記綴じ具はそれぞれ色が異なることを特徴とする。
【００１１】
したがって、本発明の綴じ具を用いた束ね物によれば、複数の薄片の一側部に直線上に整列して形成された多数の孔に複数の綴じ具の係止片がリング状に曲げられた状態で通されている。綴じ具は、複数あり皆色が異なるから、複数の色によって織りなす特異の色彩を形成する。このため、綴じ具が単数である場合にはなかったイメージを、すなわち綴じ具の色といえば単色というイメージを払拭することができる。
【００１２】
綴じ具の数が二つであれば、二色の色が交互に入れ替わる綴じ具となり、三つであれば、三色の色が交互に入れ替わる綴じ具となり、色鮮やかである。また、綴じ具は複数一組であって当該複数ある綴じ具は、大きさが異なるので、各綴じ具間では立体的変化を生じ、これによっても綴じ具が単数である場合にはなかった新たなイメージを有する。
【００１３】
また本発明は、綴じ具でもある。すなわち、一本の線材を所定の間隔をあけて順次同方向にＵ字形又はＶ字形に曲げることにより一体で且つ並列に配置された多数の係止片が形成され、これら多数の係止片を紙やシートその他の薄片の一側部に直線上に整列して形成された多数の孔にそれぞれ通し、これらをリング状に曲げてリング部とし、このリング部により前記複数の薄片を頁めくり可能に綴じる複数一組の綴じ具であって、当該複数ある綴じ具の各係止片は、前記薄片の多数の孔に所定孔ずつずれた状態で順番に通され、通される順番が後になる綴じ具ほど大きくされかつ、前記綴じ具はそれぞれの色が異なることを特徴とする。
【００１４】
前記綴じ具は二つ一組とされ、前記薄片の多数の孔には、当該各綴じ具の係止片が、１孔ずつずれた状態で交互に通されることを特徴とする。
【００１５】
さらに本発明は、綴じ具を用いた前記複数の薄片を束ねる綴じ具の組付方法でもある。その特徴は、小さい綴じ具ほどその係止片を前記多数の孔に先に通し、すべての綴じ具の係止片を前記多数の孔に通した後で、すべての係止片をリング状に曲げることにある。
【発明の効果】
【００１６】
本発明によれば、綴じ具に技術的思想としての創作性を高めつつ、デザイン的な要素を付加することができる。
【発明を実施するための最良の形態】
【００１７】
以下、本発明の実施の形態（以下、実施形態）を添付した図面を参照して説明する。
図１〜図９を参照して本実施形態に係る綴じ具３０を説明する。
【００１８】
綴じ具３０が、従来技術で述べた綴じ具３と相違する点は、綴じ具３が単体構造であったのに対し、本実施形態に係る綴じ具３０では、綴じ具３とほぼ同じ形態で構造をした綴じ具３Ａ・３Ｂによる複合構造という点にある。以下詳しく説明する。
【００１９】
綴じ具３０は、綴じ具構成要素として大きさ（直径）を異にする綴じ具３Ａ・３Ｂが組み合わされて、全体として一つの綴じ具とされたものである（図１〜５，図８，９参照）。
【００２０】
図１に本発明に係る綴じ具３０を用いて複数の用紙１を綴じた束ね物５０を示す。また図２及び図３は、それぞれ図１の矢印II方向から見た図及び図１の適宜の箇所で切断した横断面図である。図１〜３からわかるように、綴じ具３０を用いて複数の用紙１を綴じた束ね物５０のイメージが、単体構造の綴じ具３で綴じられている従来の束ね物５（図１０
，１１参照）と比べ、かなり異なるものであることがわかる。なお、図１において多数の用紙１の前後にある符号１Ａで示すものは表紙であり、用紙１よりも厚地の紙でできている。
【００２１】
綴じ具３Ａ・３Ｂは、既述のように綴じ具３と同じ形態で構造をしたものであり、リング部と結合部とからなるが、綴じ具３Ａの方が、綴じ具３Ｂよりも全体としてわずかに大きく、綴じ具３Ａに綴じ具３Ｂが同軸状態で収容された如き形態をしている（図１，３，４，８，９参照）。この明細書では、便宜上、綴じ具３Ａを外側綴じ具３Ａといい、綴じ具３Ｂを内側綴じ具３Ａという。
【００２２】
外側綴じ具３Ａのリング部及び結合部をそれぞれ符号４１Ａ及び６Ａで示し、内側綴じ具３Ｂのリング部及び結合部をそれぞれ符号４１Ｂ及び６Ｂで示す（図３，４，８参照）。
そして、外側綴じ具３Ａにあっては、リング部４１Ａ及び結合部６Ａにより仮想円筒Ａを構成し、内側綴じ具３Ｂにあっては、リング部４１Ｂ及び結合部６Ｂにより仮想円筒Ｂを構成する（図６，図８及び図９参照）。
【００２３】
外側綴じ具３Ａに係る仮想円筒Ａは、内側綴じ具３Ｂに係る仮想円筒Ｂが内接するほど仮想円筒Ｂと接近状態で仮想円筒Ｂを収納する。すなわち外側綴じ具３Ａのリング部４１Ａの内径が、内側綴じ具３Ｂのリング部４１Ｂの外径よりもわずかに大きい（図３参照）。
【００２４】
そして、外側綴じ具３Ａのリング部４１Ａ及び内側綴じ具３Ｂのリング部４１Ｂが、前記用紙１の多数の孔２に一孔ずつずれた状態で差し込まれ（図１，２参照）、その状態で両綴じ具３Ａ及び３Ｂは、それらのリング部４１Ａ及び４１Ｂが、孔２に案内されて自在に回動可能である。
【００２５】
また外側綴じ具３Ａのリング部４１Ａの先端（Ｕ字形の折り返し部分）４１ａは、リング部４１Ａの基端４１ｂから幾分離れているのに対し、内側綴じ具３Ｂのリング部４１Ｂの先端４１ａは、リング部４１Ｂの基端４１ｂと当接する（図６参照）。
【００２６】
そして、外側綴じ具３Ａに対し、内側綴じ具３Ｂを図３において時計回りに最も回動したときに（図３の矢印ａ参照）、内側綴じ具３Ｂの先端４１ａが、外側綴じ具３Ａの結合部６Ａの中央に当たり、それ以上の回動が抑制されるようになっている（図３，８参照）。このとき、外側綴じ具３Ａのリング部４１Ａの先端４１ａ及び内側綴じ具３Ｂのリング部４１Ｂの先端４１ａが、各リング部の周方向に幾分ずれるものの、全体として見ると、綴じ具３０の軸方向（束ね物５０の長手方向）に概ね並んだように見える（図８参照）。
【００２７】
また、外側綴じ具３Ａと内側綴じ具３Ｂとでは色が異なり、例えば外側綴じ具３Ａは白であり、内側綴じ具３Ｂは黒である。但し図面では、着色した部分（白色以外の色が付けられている部分）をグラデーション（梨字）で示し、グラデーションを付しても図面上における線と線との境界が不明になることを避けた。但し、図２のみ内側綴じ具３Ｂを黒で着色し、実際のものに近いイメージとした。なお、着色は、一本の線材にビニール被覆し、ビニールに着色したものでも、線材に直に着色したものでもよい。
【００２８】
綴じ具３０を用いた束ね物５０によれば、複数の用紙１の一側部に直線上に整列して形成された多数の孔２に、白色の外側綴じ具３Ａのリング部４１Ａ及び黒色の内側綴じ具３Ｂのリング部４１Ｂが、交互に通されてある。
【００２９】
よって、束ね物５０は、色が異なる綴じ具３Ａ・３Ｂにより、二色が織りなす特異の色
彩を形成するといえる。また当該二色は交互に入れ替わる。このため、綴じ具３Ａ・３Ｂが単数である場合にはなかった色彩による新たなイメージを出すことができる。この結果、綴じ具の色といえば単色というイメージを払拭することができる（例えば図２，３参照）。
【００３０】
そして綴じ具３０は、綴じ具３Ａ・３Ｂが組み合わされてなる一組の複合体であって、各綴じ具３Ａ・３Ｂのリング部４１Ａ、４１Ｂは、大きさが異なるので、これらが組合わされたときに綴じ具３０の全体に凹凸を生じ、立体的変化を生じるので一様でない様を楽しめる。当該立体的な変化も綴じ具が単体構造である場合にはなかった新たなイメージを作り出すことに寄与する。したがって、綴じ具に技術的思想としての創作性を高めつつ、デザイン的な要素を付加することができる。
【００３１】
さらに束ね物５０は、綴じ具構成要素として、二つで一組の外側綴じ具３Ａと内側綴じ具３Ｂとを有する綴じ具３０が適用されたものを開示したが、綴じ具構成要素が３つで一組としたものも可能である。この場合、綴じ具構成要素の大きさ（直径）及び色が違うだけで形態や構造が綴じ具３０と同じであることはいうまでもない。具体的に述べれば、リング部の直径が、大・中・小に分かれた綴じ具構成要素を備え、大・中・小の綴じ具構成要素は、それぞれ異なった色（例えば白・黒・赤）が着色されている綴じ具という具合である。
【００３２】
この場合も複数の用紙１の一側部に直線上に整列して形成された多数の孔２に３つの綴じ具構成要素のリング部を交互に通す。その結果、三色が交互に入れ替わる綴じ具となって一層色鮮やかである。また立体的な変化も綴じ具構成要素の数が多い分高まる。
なお、綴じ具構成要素を４つ以上にする場合も同様であり、綴じ具構成要素の数が増大する程、色鮮やかで綴じ具３０は立体的に変化するということができる。
【００３３】
束ね物５０を複数の綴じ具構成要素からなる綴じ具で束ねるに当たり、用紙１の孔２に先に入れられるのは、リング部の径が小さい綴じ具構成要素である。換言すると孔２に通される順番が後になる綴じ具構成要素ほどリング部の径が大きい。なお、綴じ具構成要素の数が多いほど綴じ具構成要素の長さは短くなる。
【００３４】
また、各リング部がリング状に形成されるのは、綴じ具構成要素の湾曲されていない係止片４が孔２に通された後であり、各綴じ具構成要素の係止片４を一孔ずつずらしてすべて孔２に通した後、既述した曲げ装置によって当該係止片４をリング状に曲げて、各リング部を形成する。このようにすることで一度に複数の綴じ具構成要素にリング部を形成することができる。よって組み立てが簡単かつ迅速にできる。
【００３５】
本発明は上述の図示例にのみ限定されるものではない。すなわち、本発明の要旨を逸脱しない範囲内において種種変更を加え得ることは勿論である。例えば、外側綴じ具３Ａのリング部４１Ａ及び内側綴じ具３Ｂの各リング部４１Ｂの折り返し部分をＵ字形でなくＶ字形に曲げたものであってもよい。
またこの実施形態では束ね物５０は、用紙１を束ねたものであったが、合成樹脂等でなるシートであってもよい。
【図面の簡単な説明】
【００３６】
【図１】本発明に係る綴じ具を用いた束ね物の全体斜視図である。
【図２】図１の矢印II方向から見た図である。
【図３】図１の適宜の箇所で切断した横断面図である。
【図４】本発明に係る綴じ具のみの全体斜視図である。
【図５】本発明に係る綴じ具を分離した場合の斜視図である。
【図６】図５の一部拡大図である。
【図７】図５を裏側から見た斜視図である。
【図８】図４の一部拡大図である。
【図９】図８を裏側から見た図である。
【図１０】従来技術を説明するための図である。
【図１１】従来技術を説明するための別の図である。
【符号の説明】
【００３７】
１ 用紙（薄片）
１Ａ  表紙
２ 用紙の孔（薄片の孔）
３ 従来の綴じ具
３Ａ 綴じ具構成要素（大きい綴じ具）
３Ｂ 綴じ具構成要素（小さい綴じ具）
４ リング状の係止片（綴じ具の係止片），リング部
４１ａ リング部の先端
４１ｂ リング部の基端
６ リング部同士を結ぶ結合部
６Ａ 大きい綴じ具のリング部同士を結ぶ結合部
６Ｂ 小さい綴じ具のリング部同士を結ぶ結合部
３０ 本発明の綴じ具（複合体）
４１Ａ 大きい綴じ具のリング部
４１Ｂ 小さい綴じ具のリング部
５０ 束ね物
Ａ 仮想円筒
Ｂ 仮想円筒
【図１】
2008006726.tif 000003
【図２】
2008006726.tif 000004
【図３】
2008006726.tif 000005
【図４】
2008006726.tif 000006
【図５】
2008006726.tif 000007
【図６】
2008006726.tif 000008
【図７】
2008006726.tif 000009
【図８】
2008006726.tif 000010
【図９】
2008006726.tif 000011
【図１０】
2008006726.tif 000012
【図１１】
2008006726.tif 000013